(57)【特許請求の範囲】
【請求項１】
カメラの本体及び裏蓋のうちの一方の外周に環状溝を形成するとともに該環状溝に環状防水シール部材を収納し、他方の外周に前記環状防水シール部材を押圧する環状リブとを形成し、前記本体と裏蓋との間を水密状に密閉するカメラの防水構造において、
前記環状溝を、第１の溝幅を有する第１の環状溝と、該第１の環状溝の底部に形成された前記第１の溝幅よりも狭い第２の溝幅を有する第２の環状溝であって、前記裏蓋を閉じたときに変形する前記環状防水シール部材の変形を逃がす深さを有する第２の環状溝とによって形成し、
前記環状防水シール部材を、該環状防水シール部材の底面の幅が前記第２の溝幅よりも大きく、かつ前記第１の環状溝の側面と環状防水シール部材の側面との間に隙間ができるように形成し、
前記環状防水シール部材は、前記環状リブの押圧により側面方向に変形するとともに、該環状防水シール部材の底面の一部が前記第２の環状溝に食い込むように変形することを特徴とするカメラの防水構造。
【請求項２】
前記環状防水シール部材の断面形状は、凸形状、台形、及び中部がくびれた鼓形状のうちの何れかである請求項１に記載のカメラの防水構造。
【発明の詳細な説明】
【０００１】
【発明の属する技術分野】
本発明はカメラの防水構造に係り、特にカメラの本体と裏蓋との間の防水構造に関する。
【０００２】
【従来の技術】
従来のこの種のカメラの防水構造は、図８に示すようにカメラの本体１の外周に環状溝２を形成するとともに、この環状溝２に環状防水シール部材３を収納し、一方、裏蓋４の外周に環状リブ５を形成して構成されており、裏蓋４を閉じると、裏蓋４の環状リブ５が環状防水シール部材３を押圧して変形させ、本体１と裏蓋４との間を水密状に密閉するようにしている（実公昭６０−６８２２号公報参照）。
【０００３】
特に、実公昭６０−６８２２号公報に記載のカメラの防水構造は、環状防水シール部材３の断面形状を、先端にいくにしたがって狭くなる形状（図８では断面半円状）とし、裏蓋４を閉じたときの押圧力により、環状防水シール部材３が環状溝２の側面方向に逃げるように変形できるようにしている。これにより、環状防水シール部材３の弾力性が損なわれないようにし、環状リブ５が環状防水シール部材３に食い込みやすくし、高い防水性能が得られるようにしている。
【０００４】
【発明が解決しようとする課題】
しかしながら、上記従来のカメラの防水構造の場合には、環状リブ５が環状防水シール部材３に食い込みやくすなる結果、図８の矢印Ａ１、Ａ２の経路の防水性を確保することができるが、環状溝２の側面と環状防水シール部材３の側面とは十分に密着しておらず、また、環状溝２の底面は変形せずに環状防水シール部材３の底面と面接触しているため、図８の矢印Ｂ１、Ｂ２、Ｂ３の経路で水漏れが発生するおそれがあった。
【０００５】
本発明はこのような事情に鑑みてなされたもので、裏蓋の押圧力が小さくても環状防水シール部材を無理なく変形させることができ、かつ高い防水性能を得ることができるカメラの防水構造を提供することを目的とする。
【０００６】
本発明は前記目的を達成するために、カメラの本体及び裏蓋のうちの一方の外周に環状溝を形成するとともに該環状溝に環状防水シール部材を収納し、他方の外周に前記環状防水シール部材を押圧する環状リブとを形成し、前記本体と裏蓋との間を水密状に密閉するカメラの防水構造において、前記環状溝を、第１の溝幅を有する第１の環状溝と、該第１の環状溝の底部に形成された前記第１の溝幅よりも狭い第２の溝幅を有する第２の環状溝であって、前記裏蓋の閉成時に押圧されて変形する前記環状防水シール部材が底部に当接しない深さを有する第２の環状溝とによって形成し、前記環状防水シール部材を、該環状防水シール部材の底面の幅が前記第２の溝幅よりも大きく、かつ前記第１の環状溝の側面と環状防水シール部材の側面との間に隙間ができるように形成し、前記環状防水シール部材は、前記環状リブの押圧により側面方向に変形するとともに、該環状防水シール部材の底面の一部が前記第２の環状溝に食い込むように変形することを特徴としている。
【０００７】
即ち、前記環状防水シール部材は、その側面と第１の環状溝の側面との間に隙間ができるように形成されているため、裏蓋を閉じた時の環状リブの押圧により側面方向に変形することができる。また、前記環状溝は、第１の環状溝と第２の環状溝の二重溝になるように形成されているため、前記環状防水シール部材は、その底面の一部が前記第２の環状溝に食い込むようにも変形することができる。
【０００８】
これにより、比較的弱い押圧力で環状防水シール部材を変形させることができ、環状防水シール部材の環状リブが当接する部位の変形（環状リブの食い込み）、及び環状防水シール部材の第２の環状溝への食い込みにより、高い防水性能が得られる。
【０００９】
【発明の実施の形態】
以下添付図面に従って本発明に係るカメラの防水構造の好ましい実施の形態について詳説する。
図１及び図２はそれぞれ本発明に係るカメラの防水構造が適用された防水パックを前方及び後方から見た斜視図であり、図３は図２に示した防水パックの裏蓋を開けた状態を示す斜視図である。
【００１０】
これらの図面に示すように、この防水パック１０は、主として本体１２と、ヒンジ１４により本体１２に対して回動自在に配設された裏蓋１６とから構成されており、図示しないデジタルカメラを収納することにより全体として防水型デジタルカメラとして機能できるようになっている。
即ち、図３に示すように本体１２の内側には、デジタルカメラを取り付けるためのカメラ取付部材１８が本体１２に対して回動自在に配設されている。このカメラ取付部材１８は、デジタルカメラの三脚ネジ穴と螺合するカメラ取付ネジ２０と、デジタルカメラの回り止め及び位置決め用のピン２２とが設けられており、これらのカメラ取付ネジ２０及びピン２２によってデジタルカメラを固定できるようになっている。
【００１１】
また、本体１２には、ストロボ装置２４が内蔵されるとともに、本体１２の上面にはシャッタボタン２６が設けられており、裏蓋１６には、電源スイッチ２８やその他の各種のスイッチやダイヤルが設けられている。尚、この防水パック１０と、防水パック１０内に収納されるデジタルカメラとは、リモートコントロールケーブル３０（図３）を介して電気的に接続されている。
【００１２】
更に、本体１２には、裏蓋開つまみ３２及び本体１２の外周に沿った環状防水シール部材（パッキング）３４が設けられており、裏蓋１６には、閉成時に裏蓋１６をロックするためのフック３６及び裏蓋１６の外周に沿った環状リブ３８が設けられている。この裏蓋１６は、前述したようにヒンジ１４により本体１２に対して開閉自在に配設されており、裏蓋１６を押圧して閉じると、フック３６が本体１２側の係合部（図示せず）と係合し、この状態でパッキング３４と環状リブ３８とにより本体１２内の水密性を保持できるようになっている。尚、裏蓋１６がロックされている場合に、図３に示すように裏蓋開つまみ３２を起こし、反時計回り方向に回すと、裏蓋１６のロックを解除することができる。
【００１３】
図４は上記防水パック１０における防水構造の第１の実施の形態を示す要部断面図である。
同図に示すように、本体１２には、その外周に沿って第１の環状溝４０及び第２の環状溝４２とからなる二重溝が形成されており、パッキング３４は、第１の環状溝４０に嵌合又は挟み込まれて収納されている。
【００１４】
図５は図４の要部拡大断面図であり、図５（Ａ）に示すように第２の環状溝４２は、第１の環状溝４０の底部に形成されており、その第２の環状溝４２の溝幅ａは、第１の環状溝４０の溝幅よりも狭くなるように形成されている。そして、第１の環状溝４０に収納されるパッキング３４は、その断面形状が凸形状に形成されており、凸部の幅ｂは、第１の環状溝４０の溝幅よりも狭く、前記第２の環状溝４２の溝幅ａよりも広くなるように形成されている。従って、パッキング３４の凸部の側面と第１の環状溝４０の側面との間には、隙間４４、４６が形成される。
【００１５】
さて、裏蓋１６を押圧して閉じると、図５（Ｂ）に示すようにパッキング３４は環状リブ３８に押圧されて変形する。即ち、パッキング３４は、環状リブ３８によって押圧されることにより、最初の幅ｂよりも横方向に広がるように変形するが、この横方向の変形は、前記第１の環状溝４０の側面との隙間４４、４６に逃がされる。また、パッキング３４は、環状リブ３８に押圧されて、押圧方向に湾曲するように変形させられるが、この変形は、第２の環状溝４２に逃がされる。
【００１６】
これにより、パッキング３４は、弾力性が損なわれることなく、環状リブ３８の押圧力が弱くても無理なく変形することができる。そして、環状リブ３８がパッキング３４に食い込むため、環状リブ３８とパッキング３４との間の防水性を確保することができ、また、パッキング３４が第２の環状溝４２に食い込むため、パッキング３４と本体１２との間の防水性も確保することができる。
【００１７】
図６は防水パック１０における防水構造の第２の実施の形態を示す要部拡大断面図である。尚、図５に示した第１の実施の形態と共通する部分には同一の符号を付し、その詳細な説明は省略する。
図６に示す第２の実施の形態は、図５に示した第１の実施の形態と比較してパッキング５０の形状のみが異なる。即ち、第２の実施の形態のパッキング５０は、図６（Ａ）に示すように断面形状が台形になるように形成されおり、その下底は、第１の環状溝４０の溝幅と略同一に形成され、上底は下底よりも狭く形成されている。従って、パッキング５０の側面と第１の環状溝４０の側面との間には、隙間５２、５４が形成される。
【００１８】
これにより、第１の実施の形態と同様に、裏蓋１６を押圧して閉じると、図６（Ｂ）に示すようにパッキング５０は環状リブ３８に押圧されて変形するが、横方向の変形は、第１の環状溝４０の側面との隙間５２、５４に逃がされ、また、押圧方向の変形は、第２の環状溝４２に逃がされる。
図７は防水パック１０における防水構造の第３の実施の形態を示す要部拡大断面図である。尚、図５に示した第１の実施の形態と共通する部分には同一の符号を付し、その詳細な説明は省略する。
【００１９】
図７に示す第２の実施の形態は、図５に示した第１の実施の形態と比較してパッキング６０の形状のみが異なる。即ち、第３の実施の形態のパッキング６０は、図７（Ａ）に示すように断面形状が鼓形状（中部がくびれた鼓形状）に形成され、その下端及び上端は、第１の環状溝４０の溝幅と略同一に形成されている。従って、パッキング５０の側面と第１の環状溝４０の側面との間には、隙間６２、６４が形成される。
【００２０】
これにより、第１の実施の形態と同様に、裏蓋１６を押圧して閉じると、図７（Ｂ）に示すようにパッキング６０は環状リブ３８に押圧されて変形するが、横方向の変形は、第１の環状溝４０の側面との隙間６２、６４に逃がされ、また、押圧方向の変形は、第２の環状溝４２に逃がされる。尚、パッキング６０の形状によれば、環状溝４０との隙間６２、６４にゴミ等が入りにくいという効果がある。
【００２１】
この実施の形態では、本体側に第１の環状溝、第２の環状溝及びパッキングに設け、裏蓋側に環状リブを設けるようにしたが、これとは逆に裏蓋側に第１の環状溝、第２の環状溝及びパッキングに設け、本体側に環状リブを設けるようにしてもよい。
また、パッキングの断面形状は、上記実施の形態に限らず、例えば断面半円状等でもよく、要は第１の環状溝との側面との間に変形を逃がすための隙間が形成され、かつ底面の幅が第２の環状溝の溝幅よりも大きければいかなるものでもよい。
【００２２】
更に、この実施の形態では、本体に対して裏蓋が回動して開閉できるように構成されているが、バックル等の開閉機構によって裏蓋を取り付けるものでもよい。更にまた、デジタルカメラを収納する防水パックにおける防水構造として説明したが、これ限らず、銀塩カメラ、ビデオカメラ等の他のカメラを収納するものでもよい。
【００２３】
また、この実施の形態は、カメラを収納することにより全体として防水型カメラとして機能させる防水パックの本体とその裏蓋との間の防水構造について説明したが、これに限らず、カメラ本体とその裏蓋にも本発明は適用できる。即ち、カメラの本体とは、カメラを収納する防水パックの本体及びカメラ自体の本体のいずれをも意味するものとする。
【００２４】
【発明の効果】
以上説明したように本発明に係るカメラの防水構造によれば、環状防水シール部材が収納される環状溝を、それぞれ溝幅が異なる第１の環状溝と第２の環状溝による二重溝とし、かつ環状防水シール部材を、その底面の幅が第２の環状溝の溝幅よりも大きく、かつ第１の環状溝の側面との間に隙間ができるように形成したため、前記環状防水シール部材は、裏蓋を閉じた時の環状リブの押圧により側面方向に変形することができ、また、その底面の一部が第２の環状溝に食い込むようにも変形することができる。これにより、裏蓋を押圧する力が弱くても環状防水シール部材を無理なく変形させることができ、裏蓋の開閉に要する力が小さくて済み、また、裏蓋、ヒンジ、裏蓋の開閉機構等の必要強度を小さくすることができる。
【００２５】
また、環状防水シール部材の底部の一部が第２の環状溝に食い込むように変形するため、環状リブと環状防水シール部材との間とともに、環状防水シール部材と第２の環状溝との間でも防水性を確保することができ、高い防水性能が得られる。
【図面の簡単な説明】
【図１】図１は本発明に係るカメラの防水構造が適用された防水パックを前方から見た斜視図である。
【図２】図２は図１に示した防水パックを後方から見た斜視図である。
【図３】図３は図２に示した防水パックの裏蓋を開けた状態を示す斜視図である。
【図４】図４は図１に示した防水パックにおける防水構造の第１の実施の形態を示す要部断面図である。
【図５】図５は図４の要部拡大断面図であり、同図（Ａ）は本体の要部拡大断面図であり、同図（Ｂ）は裏蓋を閉じたときの本体及び裏蓋の要部拡大断面図である。
【図６】図６は防水パックにおける防水構造の第２の実施の形態を示す要部拡大断面図であり、同図（Ａ）は本体の要部拡大断面図であり、同図（Ｂ）は裏蓋を閉じたときの本体及び裏蓋の要部拡大断面図である。
【図７】図７は防水パックにおける防水構造の第３の実施の形態を示す要部拡大断面図であり、同図（Ａ）は本体の要部拡大断面図であり、同図（Ｂ）は裏蓋を閉じたときの本体及び裏蓋の要部拡大断面図である。
【図８】図８は従来のカメラの防水構造を示す要部拡大断面図である。
【符号の説明】
１０…防水パック
１２…本体
１４…ヒンジ
１６…裏蓋
３４、５０、６０…パッキング（環状防水シール部材）
３８…環状リブ
４０…第１の環状溝
４２…第２の環状溝
４４、４６、５２、５４、６２、６４…隙間
【図１】
0003835500.tif 000002
【図２】
0003835500.tif 000003
【図３】
0003835500.tif 000004
【図４】
0003835500.tif 000005
【図５】
0003835500.tif 000006
【図６】
0003835500.tif 000007
【図７】
0003835500.tif 000008
【図８】
0003835500.tif 000009